(57)【要約】【課題】使用目的に応じて複数の手帳を差し替え可能に収納し、折畳んだ状態又は開いた状態が見栄え良く、多機能に使用することができる手帳カバーを提供する。【解決手段】複数の手帳２、２ａ、２ｂを収納することができる手帳カバー１であって、少なくとも２組の見開き３ａ、３ｂを有するカバー本体４の夫々の見開きの内側両部に手帳２の表表紙７と裏表紙８を差し込む差込用袋部９が設けられたことにより、用途別の複数の手帳を差し替え可能にしたものである。【選択図】図３
2005335258.tif 000002
【特許請求の範囲】
【請求項１】
複数の手帳を収納することができる手帳カバーであって、少なくとも２組の見開きを有するカバー本体の夫々の見開きの内側両部に手帳の表表紙と裏表紙を差し込む差込用袋部が設けられたことにより、用途別の複数の手帳を差し替え可能にしたことを特徴とする手帳カバー。
【請求項２】
前記手帳カバーは３組以上の見開きが設けられたことを特徴とする請求項１記載の手帳カバー。
【請求項３】
前記少なくとも２組の見開きを有するカバー本体の背部に相当する箇所に沿って筆記用具を挿入する保持部が設けられたことを特徴とする請求項１又は２記載の手帳カバー。
【請求項４】
前記差込用袋部に定期券挿入用袋部、チケット挿入用袋部又はカード挿入用袋部等のポケット部を設けたことを特徴とする請求項１、２又は３記載の手帳カバー。
【発明の詳細な説明】
【技術分野】
【０００１】
本発明は、カバー本体の内側に設けられた差込用袋部に手帳の表紙を差し込んで使用するようにした手帳カバーに関する。
【背景技術】
【０００２】
従来から、多機能手帳の一形態として、ダイアリー、住所録、横罫等の用途別に分刷された手帳をカバー本体の内側に設けられた差込用袋部に差し込んで使用する手帳カバーが用いられている。
【０００３】
このような手帳カバーの従来例として、特許文献１の「小冊子類の保護カバー」と称する発明を挙げる。この発明の構成は、図８に示すように、手帳、メモ帳及び文庫本など小冊子類３０の表紙や小口を保護する保護カバー３１であって、小冊子類３０の背綴じ部にあたる部分で二つ折りされるカバー本体３２の折り部３３に、該折り部３３に沿って筆記用具３４を挿入する筆記用具保持部３５を設けたことを特徴とするものである。
【０００４】
このような構成の保護カバー３１は、図９に示すように、カバー本体３２の内面の左右両側に設けられた差込用袋部３６、３６に手帳３７の表表紙３８と裏表紙３９とを差し入れて使用することにより、手帳３７を差し替えたり、手帳３７が使用済みとなったときに、新しい手帳を差し替えたりすることが可能となる。
【特許文献１】特開２００２−３６７５１号公報
【発明の開示】
【発明が解決しようとする課題】
【０００５】
手帳カバーの構成として、上記のように見開いた両側に差込用袋部３６、３６を有する保護カバー３１は周知のものである。通常、この種の手帳カバーとして市販されているものは、上記のように二つ折りの構造であって１組の見開きを有するだけであり、この見開いた両側の差込用袋部３６、３６に一冊の手帳３７の表表紙３８と裏表紙３９を差し込んで使用するか、不図示であるが、見開いた両側の差込用袋部３６、３６の夫々に２冊の手帳の夫々の片側の表紙を差し込んで使用することを可能している。
【０００６】
なお、薄手の手帳の場合、例えば２冊の手帳の表表紙を重ねて手帳カバーの一側の差込用袋部に差し込むことも可能であるが、このような使い方では、差し込んだ手帳の保持状態が不安定となり、また手帳が嵩張ったり、乱雑になったり、見栄えが悪くなったり、各ページへの記入がし難くなったりするという欠点があった。
【０００７】
本発明は、このような従来の手帳カバーの欠点を解消すべくなされたもので、使用目的に応じて複数の手帳を差し替え可能に収納し、折畳んだ状態又は開いた状態が見栄え良く、多機能に使用することができる手帳カバーを提供することを目的とする。
【課題を解決するための手段】
【０００８】
上記の目的を達成するために、本発明の請求項１の手帳カバーは、複数の手帳を収納することができる手帳カバーであって、少なくとも２組の見開きを有するカバー本体の夫々の見開きの内側両部に手帳の表表紙と裏表紙を差し込む差込用袋部が設けられたことにより、用途別の複数の手帳を差し替え可能にしたことを特徴とする。
【０００９】
また、本発明の請求項２の手帳カバーは、請求項１において、前記手帳カバーは３組以上の見開きが設けられたことを特徴とする。
【００１０】
また、本発明の請求項３の手帳カバーは、請求項１又は２において、前記少なくとも２組の見開きを有するカバー本体の背部に相当する箇所に沿って筆記用具を挿入する保持部が設けられたことを特徴とする。
【００１１】
さらに、本発明の請求項４の手帳カバーは、請求項1、２又は３において、前記差込用袋部に定期券挿入用袋部、チケット挿入用袋部又はカード挿入用袋部等のポケット部を設けたことを特徴とする。
【発明の効果】
【００１２】
以上のように構成された発明により、少なくとも２組の見開き状態における内側両部に差込用袋部を有するものであり、使用者の使用目的、或いは使い勝手により、それぞれの差込用袋部に、ダイアリー、住所録、メモ用手帳等の複数の手帳を差し込んで、見栄え良く、また多機能に使用することが可能となる。
【００１３】
また、本発明により、１個の手帳カバーに２冊又はそれ以上の手帳を差し込み収納する場合、従来の１組の見開きを有する手帳カバーであれば、一方の差込用袋部に複数の手帳の片側表紙を重ねて差し込むような使用方法となって、差し込んだ手帳の保持状態が不安定となるが、本発明の場合、必要な冊数の手帳に応じて見開きの組数を形成する構造とすることができる。このように見開いた両側の夫々に1冊の手帳の表表紙と裏表紙を差し込むことによって手帳の両側表紙が保持されるため、安定した保持状態を保つことが可能となる。また、薄手の手帳の場合、１つの見開きに２冊又はそれ以上の手帳を収納することも可能であり、使用目的に応じて、多様な使用形態が可能となる。
【００１４】
また、本発明の手帳カバーにおいては、少なくとも２組の見開きを有するカバー本体を形成してあるため、その分、背部の幅が広く、筆記用具を挿入する保持部を幅広く形成することができ、太径の筆記具の挿入が可能となる。
【００１５】
さらに、本発明においては、少なくとも２組の見開きを有する左右の差込用袋部に定期券挿入用袋部、チケット挿入用袋部又はカード挿入用袋部等のポケット部を設けた構成により、従来のように１組の見開きの両側に各種のポケット部を設けたのに比較して、数多くのポケット部を無理なく設けることが可能となる。
【発明を実施するための最良の形態】
【００１６】
以下、本発明の実施例について図面を参照しながら説明する。
【実施例１】
【００１７】
本発明の手帳カバーは、図１に示すように、複数の手帳２を収納することができる手帳カバー１であって、図２又は図３に示すように、少なくとも２組の見開き３ａ、３ｂを有するカバー本体４の夫々の見開き３ａ、３ｂの内側両部に手帳２の表表紙７と裏表紙８を差し込む差込用袋部９、９が設けられたことにより、用途別の手帳２を差し替え可能にしたものである。
【００１８】
このような構成をより詳細に述べると、本実施例の手帳カバー１は、図２に示すように、２つ折りされる２組の内側カバー５、５の片側面どうしを重ねることによって、２組の見開き３ａ、３ｂを有するカバー本体４を形成したものである。
【００１９】
このような構成において、カバー本体５は、天然皮革、合成樹脂皮革、合成樹脂シート、又は布等を用いて加工され、中央縦位置で二つ折りされる同形状の内側カバー５を２組用いて片側面同士を重ね合わせ、その外側全体に外被カバー１０（図１参照）を合わせて、その周縁を縫製加工（縫製部１６）したものである。
【００２０】
また、外被カバー１０の背部に余裕の長さを有する構成として、その内部に筆記用具１２を挿入する隙間１３を形成し、これを筆記用具１２のための保持部１４として利用することを可能としている。なお、この保持部１４の上端には、図２に示すように凹部１５を形成しても良く、図３に示すように、この凹部１５にペン等の筆記用具１２の係止片１２ａを掛止させることも可能である。
【００２１】
このような構成においては、少なくとも２組の見開き３ａ、３ｂを有するカバー本体４の背部に筆記用具１２の保持部１４が設けられているため、保持部１４の幅を広く形成することができ、太径の筆記用具１２の挿入が可能となる。
【００２２】
また、夫々の見開き３ａ、３ｂの内側両部に手帳２の表表紙７と裏表紙８を差し込むための差込用袋部９、９が設けられている。図２は、本実施例の手帳カバー１の左側の見開き３ａが全体的に見えるように図示してあり、この左側の見開き３ａの内側両部に、背部に向かって開口９ａを有する差込用袋部９を縫製加工（縫製部１６）等によって形成してある。そして、図３に示すように、この左側の見開き３ａの内側両部に設けられた左右の差込用袋部９、９の夫々の開口９ａ、９ａに一冊の手帳２の表表紙７と裏表紙８とを夫々差し込んで収納した状態としている。
【００２３】
また、図４は、本実施例の手帳カバー１の右側の見開き３ｂが全体的に見えるように図示してあり、この右側の見開き３ｂの内側両部に背部に向かって開口９ａを有する差込用袋部９を縫製加工（縫製部１６）等によって形成してある。そして、図５に示すように、この右側の見開き３ｂの左側の差込用袋部９（９ｂ）に一冊の薄手の手帳２ａの表表紙７を差し込む一方、右側の差込用袋部９（９ｃ）に、他の一冊の薄手の手帳２ｂの裏表紙８を差し込んで収納した状態としている。
【００２４】
従って、図３又は図５に示すように、１個の手帳カバー１に全部で３冊の手帳２、２ａ、２ｂを収納した状態としているが、この手帳の収納冊数は、手帳の用途別に異なる厚さの違いや、使用者の使用目的、または使い勝手等によって、適宜変化するものである。
【００２５】
その例としては、左側の見開き３ａの左右の差込用袋部９、９に１年間の日程等を記載する比較的厚手のダイアリーの両側表紙を差し込んで収納し、また、右側の見開き３ｂの左側の差込用袋部９（９ｂ）には住所録として使用する手帳を差し込んで収納し、右側の差込用袋部９（９ｃ）には横罫を印刷した手帳を差し込んで収納すると、ダイアリーは一年間差し込んだ状態で使用し、横罫の手帳にはメモ等を自由に書き込んで、使い切ったときには新しい横罫の手帳を差し込んで収納するというように、適宜の使い方が可能となる。
【００２６】
また、上記のように複数の手帳を差し込み収納する場合、手帳の片側表紙だけを挿入するような従来の使用方法ではなく、少なくとも２冊の手帳の両側表紙を内側左右の差込用袋部に差し込んで使用することも可能である。
【００２７】
さらに、本発明においては、夫々の差込用袋部９に定期券挿入用袋部１８、チケット挿入用袋部１９又はカード挿入用袋部２０等のポケット部２１を設けた構成とすることによって、手帳カバー１内に種々の挿入物を収納しておくことが可能である。なお、図２等において、左側の見開き３ａの左側の差込用袋部９に設けられた定期券挿入部１８には開口部１８ａが設けられ、この開口部１８ａに透明プラスチック板等が設けられることによって、内部に挿入された定期券等を外部から透視できる構成としている。
【００２８】
上記の説明においては、1個の手帳カバーについて、２組の見開きが設けられた実施例について説明してあるが、本発明はこれに限定されるものではなく、見開きが３組又はそれ以上となるように形成してもよい。
【００２９】
即ち、図６に示すように、１個の手帳カバー１に３組の見開き３ａ、３ｂ、３ｃを設け、夫々の見開きの内側両部に差込用袋部９、９を設けた構成とすることも可能である。このような構成においては、図７に示すように、見開き３ａ、３ｂのように、１組の見開きに1冊ずつの手帳２を差し込み収納したり、任意の見開き３ｃに２冊以上の手帳２ａ、２ｂを収納することによって、少なくとも３冊、或いは４冊以上の手帳を収納することも可能である。
【００３０】
また、このように３組以上の見開き３ａ、３ｂ、３ｃ…を設けた構成において、図６に示すように夫々の見開きの内側両部の差込用袋部９、９…に定期券挿入用袋部１８、チケット挿入用袋部１９又はカード挿入用袋部２０等のポケット部２１を設けた構成とすることも可能である。さらに、カバー本体４の背部に筆記用具を挿入するための保持部１４を設け、この保持部１４の上端に凹部１５を設けた構成とすることも可能である。
【産業上の利用可能性】
【００３１】
本発明は、少なくとも２組の見開きの両側に差込用袋部を有するもので、それぞれの差込用袋部に、ダイアリー、住所録、メモ用手帳等の複数の手帳を差し込んで、見栄え良く、また多機能に使用することができる手帳カバーとして利用することが可能である。
【図面の簡単な説明】
【００３２】
【図１】本発明による手帳カバーに複数の手帳を差し込み収納して閉じた状態を示す斜視図である。
【図２】本発明による手帳カバーであり、主に左側見開きが見える状態に図示した斜視図である。
【図３】本発明による手帳カバーに複数の手帳を差し込み収納して、主に左側見開きが見える状態に図示した斜視図である。
【図４】本発明による手帳カバーであり、主に右側見開きが見える状態に図示した斜視図である。
【図５】本発明による手帳カバーに複数の手帳を差し込み収納して、主に右側見開きが見える状態に図示した斜視図である。
【図６】本発明による手帳カバーに３組の見開きを設けた斜視図である。
【図７】本発明による手帳カバーに３組の見開きを設け、夫々の見開きに手帳を差し込み収納した斜視図である。
【図８】特許文献１に関する従来の保護カバーを示す斜視図である。
【図９】特許文献１に関する従来の保護カバーを開いた状態を示す上端面図である。
【符号の説明】
【００３３】
１…手帳カバー
２…手帳
２ａ、２ｂ…薄手の手帳
３ａ…左側の見開き
３ｂ…右側の見開き
３ｃ…任意の見開き
４…カバー本体
５…内側カバー
７…手帳の表表紙
８…手帳の裏表紙
９…差込用袋部
１０…外被カバー
１２…筆記用具
１２ａ…係止片
１３…隙間
１４…保持部
１５…凹部
１６…縫製部
１８…定期券挿入用袋部
１９…チケット挿入用袋部
２０…カード挿入用袋部
２１…ポケット部
【図１】
2005335258.tif 000003
【図２】
2005335258.tif 000004
【図３】
2005335258.tif 000005
【図４】
2005335258.tif 000006
【図５】
2005335258.tif 000007
【図６】
2005335258.tif 000008
【図７】
2005335258.tif 000009
【図８】
2005335258.tif 000010
【図９】
2005335258.tif 000011
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
複数の手帳を収納することができる手帳カバーであって、少なくとも２組の見開きを有するカバー本体の夫々の見開きの内側両部に手帳の表表紙と裏表紙を差し込む差込用袋部が設けられたことにより、用途別の複数の手帳を差し替え可能とし、前記少なくとも２組の見開きを有するカバー本体の背部に相当する箇所に沿って筆記用具を挿入する保持部が設けられ、前記差込用袋部に定期券挿入用袋部、チケット挿入用袋部又はカード挿入用袋部等のポケット部を設けた、ことを特徴とする手帳カバー。
【請求項２】
前記手帳カバーは３組以上の見開きが設けられた、ことを特徴とする請求項１記載の手帳カバー。
【手続補正２】
【補正対象書類名】明細書
【補正対象項目名】０００８
【補正方法】変更
【補正の内容】
【０００８】
上記の目的を達成するために、本発明の請求項１の手帳カバーは、複数の手帳を収納することができる手帳カバーであって、少なくとも２組の見開きを有するカバー本体の夫々の見開きの内側両部に手帳の表表紙と裏表紙を差し込む差込用袋部が設けられたことにより、用途別の複数の手帳を差し替え可能とし、前記少なくとも２組の見開きを有するカバー本体の背部に相当する箇所に沿って筆記用具を挿入する保持部が設けられ、前記差込用袋部に定期券挿入用袋部、チケット挿入用袋部又はカード挿入用袋部等のポケット部を設けた、ことを特徴とする。
【手続補正３】
【補正対象書類名】明細書
【補正対象項目名】０００９
【補正方法】変更
【補正の内容】
【０００９】
また、本発明の請求項２の手帳カバーは、請求項１において、前記手帳カバーは３組以上の見開きが設けられた、ことを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】